(57)【要約】【課題】宛名ラベルの貼付に際し郵便物本体に記載された個人情報と宛名ラベルに記載された個人情報が確実に一致し、誤って他人へ送付され個人情報が漏洩する事故の心配がなく、またラベル片が郵便物本体と一体で同時に加工され加えて構造もシンプルなためコストが掛からず、さらに廃棄に際して受取人が容易に郵便物本体から引き剥がし、仮に頑丈な素材でできたラベル片であったとしても手で容易に細かく破断して処理することが可能なラベル付送付物を提供することを目的としている。【解決手段】少なくとも本体葉片と前記本体葉片と折り線を介して連接された受取人の情報のみが記載されたラベル葉片とからなるラベル付送付物であり、折り畳まれて対向する両葉片が疑似接着媒体を介して剥離可能に接着されると共に折り畳み後の最終形態で前記ラベル葉片が表出していることを特徴としたラベル付送付物により解決される。【選択図】図１
2020142492.tif 000002
【特許請求の範囲】
【請求項１】
少なくとも本体葉片と前記本体葉片と折り線を介して連接された受取人の情報のみが記載されたラベル葉片とからなるラベル付送付物であり、折り畳まれて対向する両葉片が疑似接着媒体を介して剥離可能に接着されると共に折り畳み後の最終形態で前記ラベル葉片が表出していることを特徴としたラベル付送付物。
【請求項２】
本体葉片と折り線を介して連接された受取人の情報が記載されたラベル葉片の２葉片からなるシートを折り畳み重ね合わせたことを特徴とした請求項１に記載のラベル付送付物。
【請求項３】
本体葉片と受取人の情報が記載されたラベル葉片及び貼付物となる貼付葉片の３葉片からなり、本体葉片の両側に折り線を介して貼付物となる貼付葉片と受取人の情報が記載されたラベル葉片が連接されたシートを折り畳み重ね合わせたことを特徴とした請求項１に記載のラベル付送付物。
【請求項４】
本体葉片と受取人の情報が記載されたラベル葉片及び貼付物となる貼付葉片の３葉片からなり、貼付物となる貼付葉片の両側に折り線を介して本体葉片と受取人の情報が記載されたラベル葉片が連接されたシートを折り畳み重ね合わせたことを特徴とした請求項１に記載のラベル付送付物。
【請求項５】
本体葉片と受取人の情報が記載されたラベル葉片及び複数の貼付物となる貼付葉片の４葉片以上の葉片が折り線を介して連接されたシートを折り畳み重ね合わせたことを特徴とした請求項１に記載のラベル付送付物。
【請求項６】
受取人の情報が記載されたラベル葉片と折り線を介して連接されている葉片を前記折り線に形成された切取手段から分離することが可能であることを特徴とした請求項１乃至５に記載のラベル付送付物。
【請求項７】
分離したラベル葉片が引裂き破棄可能であることを特徴とした請求項６に記載のラベル付送付物。
【発明の詳細な説明】
【技術分野】
【０００１】  本発明は、表面に受取人の住所氏名等の情報が記載された宛名ラベルが貼付された郵便はがき、封書或いはメール便等に利用することができるラベル付送付物に関する。
【背景技術】
【０００２】  従来、郵便物などを送る場合に、例えば送付する郵便はがき等の表面に受取人の住所氏名等の個人情報を印刷した宛名ラベルを直接に貼付して送付する場合が多い。そのような宛名ラベルとして例えば特開２００９−８７９２号公報に記載される宛名ラベルがある。【０００３】  前記宛名ラベルは、個人情報の印刷された宛名部分を、受取人が剥がして廃棄処分ができるようにしたもので、離型処理された台紙（剥離紙）に形成された宛名ラベルに印字を施して、前記台紙から引き剥がして個別に貼付するものである。
【先行技術分野】
【特許文献】
【０００４】
【特許文献１】特開２００９−８７９２号公報
【発明概要】
【発明が解決しようとする課題】
【０００５】  ところで例えば郵便物本体と別体の宛名ラベルを貼り合わせて郵送する場合、個人情報が記載された郵便物本体とその受取人の情報が記載された宛名ラベルが合致する必要がある。万が一両者が異なると個人情報の漏洩となり大きな問題に発展しかねない。前記宛名ラベルにはそのような事態が発生する危惧がある。
【０００６】  また前記宛名ラベルでは輸送途上で自然剥離せずに且つ受取人が容易に引き剥ができるよう粘着剤層に糊殺し処理が必要で、具体的には任意の範囲に網点印刷等により強、中、弱の複雑な印刷操作を行う。さらに２条のミシン目加工を別に施す必要があり加工コストが非常に掛かると共に、ラベルを非着体に貼付した後に残されるシリコン等の離型処理が施された離型紙は廃棄処分となり、結局全体のコストを上昇させ環境にも悪影響を与えることになる。
【０００７】  本発明は、前記問題に鑑み、宛名ラベルの貼付に際し郵便物本体に記載された個人情報と宛名ラベルに記載された個人情報が確実に一致し、誤って他人へ送付され個人情報が漏洩する事故の心配がなく、またラベル片が送付物本体と一体で同時に加工され、印字等の作業も同時に完了するため宛名ラベルの貼付作業が省略でき、加えて構造もシンプルなため加工作業や材料等に掛かるコストを大幅に削減することが可能なラベル付送付物を提供することを目的としている。
【課題を解決するための手段】
【０００８】  上記目的を達成するために、本発明のラベル付送付物は、少なくとも本体葉片と前記本体葉片と折り線を介して連接された受取人の情報のみが記載されたラベル葉片とからなるラベル付送付物であり、折り畳まれて対向する両葉片が疑似接着媒体を介して剥離可能に接着されると共に折り畳み後の最終形態で前記ラベル葉片が表出していることを特徴としている、
【０００９】  なお郵便はがきを例に最も基本的な態様を説明すると、郵便はがき本体となる本体葉片と、その任意の辺に連接されたラベル葉片の合計２葉片で構成されたものとなる。前記ラベル葉片の表出面には受取人の住所氏名や「料金別納」等の料金表示、郵便番号やカスタマバーコード等の個人情報が印刷され、折り線から本体葉片側へ折り返されて密着している。そして前記ラベル葉片で覆い隠されていない本体葉片の表出面には「ＰＯＳＴ  ＣＡＲＤ」や「郵便はがき」等の記載がなされて本体葉片であることを示している。なお、前記「料金別納」等の料金表示は本体葉片に記載されても構わない。前記ラベル葉片或いは本体葉片への記載内容は、ラベル葉片と本体葉片の横幅の相違により適宜決められる。
【００１０】  本発明のラベル付送付物は、既述の２葉片からなるラベル付送付物以外に、本体葉片、ラベル葉片及び貼付葉片の合計３葉片で構成されていても構わない。その場合本体葉片を中央としてその表裏面に他の２葉片が折り畳まれて貼付される態様、或いは本体葉片を外側に配置した連接葉片を、前記本体葉片を巻き込むように折り畳む態様でも構わない。
【００１１】  また４葉片以上の複数の葉片を使用して、郵便はがき以外に封書やメール便等にも使用することができる。さらに本体葉片を、折畳みにより対向する２葉片を貼り合わせて形成しても構わず、前記折り畳みの態様においても蛇腹折り、巻き折り、観音開き折り或いはそれらの混合折り等を目的に合わせ自由に組み合わせ選択すればよい。
【００１２】  本発明のラベル付送付物の葉片に使用される資材は、例えば上質紙、マット紙、コート紙等の通常の用紙、合成紙、不織布或いは樹脂フィルムシート等を好適に使用することができる。また折り畳まれた対向面同士を剥離可能に接着する疑似接着媒体は、大きく以下の３種類に分けられる。
１）先糊方式
印刷前の用紙の疑似接着予定面に、合成ゴム或いは天然ゴムを主成分とした疑似接      着性の媒体を塗布し含侵させる。そして乾燥後に印刷・印字を行い疑似接着予定面      同士を対向させて加圧処理を施すと剥離可能に接着する。
２）後糊方式
印刷後の用紙の疑似接着予定面に、疑似接着性のＵＶニスを塗布して疑似接着性の      被膜を形成したもの。前記疑似接着性の被膜同士を対向させ加圧或いは加熱・加圧      処理を施すと剥離可能に接着する。
３）フィルム方式
印刷後の用紙の疑似接着予定面に疑似接着性のフィルムシートを被覆し、前記疑似      接着性のフィルムシートを対向させ加圧或いは加熱・加圧処理を施すと剥離可能に      接着する。
【００１３】  本発明のラベル付送付物は、本体葉片とラベル葉片を連接する折り線に折り手段を形成するが、好ましくは葉片を形成する資材と、前記折り線を跨ぎ形成された疑似接着媒体の何れか一方或いは両者に折り又は切り取りを可能にするミシンが形成される。前記ミシンのカットとアンカットの比率には格別な制限はないが、折り易いことや切り取り易いこと及び郵送時や取扱時に誤って剥がれた際に脱落してしまうことが無いように選択することが好ましい。
【発明の効果】
【００１４】  本発明のラベル付送付物は、被着体への宛名ラベルの貼付作業が、本体葉片と一体に連接されたラベル葉片の折り畳みにより実行される。そのため個人情報の印刷が本体葉片及びラベル葉片の両者に同時に印刷され、そのまま折り畳まれるので誤って他人へ送付されることがない。
また疑似接着媒体の形成がラベル葉片及び本体葉片へ一回で同時に行われるため加工が簡略化され、さらに剥離紙のような使用後に廃棄しなければならない部材がなく、折り畳むだけでラベル葉片の貼付作業が完了するため、加工にまつわる余計なコストが掛からない。
【図面の簡単な説明】
【００１５】
【図１】（Ａ）は郵便はがきＨ１の平面図、（Ｂ）は（Ａ）におけるア−ア線断面図である。
【図２】（Ａ）は郵便はがきＨ１のラベル葉片である第一葉片１１を本体葉片１２から剥離した際の内部の状態を示す平面図、（Ｂ）は（Ａ）におけるイ−イ線断面図である。
【図３】（Ａ）は郵便はがきＨ２の平面図、（Ｂ）は（Ａ）におけるウ−ウ線断面図である。
【図４】（Ａ）は郵便はがきＨ３の平面図、（Ｂ）は（Ａ）におけるエ−エ線断面図である。
【図５】（Ａ）は郵便はがきＨ４の平面図、（Ｂ）は（Ａ）におけるオ−オ線断面図である。
【図６】（Ａ）は郵便はがきＨ５の平面図、（Ｂ）は（Ａ）におけるカ−カ線断面図である。
【図７】（Ａ）は郵便はがきＨ６の平面図、（Ｂ）は（Ａ）におけるキ−キ線断面図である。
【図８】（Ａ）は郵便はがきＨ７の平面図、（Ｂ）は（Ａ）におけるク−ク線断面図である。
【図９】（Ａ）は郵便はがきＨ８の平面図、（Ｂ）は（Ａ）におけるケ−ケ線断面図である。
【図１０】（Ａ）は郵便はがきＨ９の平面図、（Ｂ）及び（Ｃ）は（Ａ）におけるコ−コ線断面図である。
【図１１】（Ａ）は郵便はがきＨ１０の平面図、（Ｂ）及び（Ｃ）は（Ａ）におけるサ−サ線断面図である。
【図１２】（Ａ）は郵便はがきＨ１１の平面図、（Ｂ）及び（Ｃ）は（Ａ）におけるシ−シ線断面図である。
【図１３】（Ａ）は郵便はがきＨ１２の平面図、（Ｂ）及び（Ｃ）は（Ａ）におけるス−ス線断面図である。
【図１４】（Ａ）は郵便はがきＨ１３の平面図、（Ｂ）及び（Ｃ）は（Ａ）におけるセ−セ線断面図である。
【図１５】（Ａ）は郵便はがきＨ１４の平面図、（Ｂ）及び（Ｃ）は（Ａ）におけるソ−ソ線断面図である。
【図１６】（Ａ）は郵便はがきＨ１５の平面図、（Ｂ）及び（Ｃ）は（Ａ）におけるタ−タ線断面図である。
【図１７】（Ａ）は郵便はがきＨ１６の平面図、（Ｂ）及び（Ｃ）は（Ａ）におけるチ−チ線断面図である。
【図１８】（Ａ）は郵便はがきＨ１７の平面図、（Ｂ）は（Ａ）におけるツ−ツ線断面図である。
【図１９】（Ａ）は郵便はがきＨ１８の平面図、（Ｂ）は（Ａ）におけるテ−テ線断面図である。
【図２０】（Ａ）は郵便はがきＨ１９の平面図、（Ｂ）及び（Ｃ）は（Ａ）におけるト−ト線断面図である。
【図２１】（Ａ）はラベル葉片を本体葉片から剥離する際の剥離の端緒となる段差における疑似接着媒体Ｇの態様を示す断面図、（Ｂ）は異なる態様の断面図、（Ｃ）はさらに異なる態様を示す断面図である。
【発明を実施するための形態】
【００１６】  以下、本発明の実施の形態を図面に基づいて具体的に説明する。
なお、以下の実施例では、ラベル付送付物として代表的な郵便はがきを例に示す。また疑似接着媒体としては、取り扱いが至便なフィルム方式の疑似接着フィルムシ−トＧを使用した場合を記載しているが、その構成は以下の通りである。
【００１７】  本実施例で使用する疑似接着フィルムシートＧは、例えばポリエチレンテレフタレートや二軸延伸ポリプロピレン等からなる基材の一方の面に、公知の感熱接着剤層を形成すると共にもう一方の面に疑似接着層を形成したサーマルラミネート法に対応したものを好適に使用することができる。このものは印刷物の表面に前記感熱接着剤層を介して剥離不能に接着した後、疑似接着層同士が対向するように折り畳み加圧或いは加熱・加圧処理を施すことで対向面同士が剥離可能に接着する。なお基材と疑似接着層からなるドライラミネート法に対応した疑似接着フィルムシートを用いても全く構わない。
【００１８】［実施例１：郵便はがきＨ１］
本実施例の郵便はがきＨ１は図１（Ａ）及び（Ｂ）に示すように、折り線１３で連接された第一葉片１１及び第二葉片１２が、疑似接着フィルムシートＧが被覆された面側を対向させて前記折り線１３から折り畳まれたものである。そしてラベル葉片の第一葉片１１表出面には、郵便番号及び住所氏名等の受取人の個人情報が記載されている。なお前記記載以外にカスタマバーコード等の個人情報が印刷されていても構わず、また例えば第一葉片１１の葉片横幅を広くして本体葉片の第二葉片１２から料金別納等の料金表示（図中円で表示）を移動させておいて、「ＰＯＳＴ  ＣＡＲＤ」の文言のみを表出させるようにしても構わない。何れにしてもラベル葉片の第一葉片１１表面には郵送に関連した情報以外の表記はない。
【００１９】  また本実施例では前記ラベル葉片の裏面側は、内部の情報を外部から見にくくするために網点印刷が施されているが白紙のままでも構わない。また、網点に代えて地紋やべた印刷等を施しても構わず、さらに各種情報を記載しても構わない。この点については以下の各実施例においても同様である。
【００２０】  そして同図（Ａ）に示すように第二葉片１２の表出面、左側縦縁辺に沿って記載されている「ＰＯＳＴ  ＣＡＲＤ」（「郵便はがき」でも可）の文言により、第二葉片１２が郵便はがきの本体葉片であることを示している。
【００２１】  この郵便はがきＨ１の受取人は、第一葉片１１及び第二葉片１２の横幅の相違により生じる段差を剥離の端緒として両葉片間を剥離し、郵便はがきの基材と疑似接着フィルムシートＧの何れか一方或いは両者を貫通する折りミシンや折り筋等の折り手段が形成された折り線１３を挟んで平面に展開することができる。そして図２（Ａ）及び（Ｂ）に示すように第二葉片１２の内部表面に記載されていた個人情報等（一般情報でも構わない）を、表面に被覆された透明な疑似接着フィルムシートＧを透して確認することができる。なお、本実施例では図２（Ａ）に示すように、ラベル葉片１１の内面は網点印刷により、折り合わせた際に外部から内部の情報が視認しづらいよう操作されているが、その表面も疑似接着フィルムシートＧにより被覆されている。
【００２２】  このように本発明のラベル付送付物は、貼付されたラベル葉片が剥離可能なため、貼付後剥離不能な従来の宛名ラベルのようにラベルを貼り込むスペース（空白部分）を確保する必要がない。そのため前記スペースにも気兼ねすることなく情報が記載できる。また、例えばラベル葉片の第一葉片１１に記載された受取人の住所氏名等の個人情報と、本体葉片の第二葉片１２に記載される受取人の個人情報を含む各種情報が、連接された一枚の単位シートに同時に記載されているため、誤って第三者へ他人の個人情報を誤送付することがない。なお、これら情報記載面の増加及び誤送付の防止効果は以下の各実施例においても同様である。
【００２３】  また前記折り線１３を切取ミシンに代え、剥離したラベル葉片の第一葉片１１を第二葉片１２から切り離すようにしても構わない。その場合前記切り離した第一葉片１１は切取ミシン等の切取手段により凹凸部分が形成された破断端面を利用して容易に引裂くことができるため、受取人は個人情報の漏洩を心配することなく安心して廃棄することができるのである。なお、前記引裂き破棄の構成に関しては以下の各実施例においても同様である。
【００２４】  本実施例では剥離の端緒として段差を使用している。そして図面では疑似接着フィルムシートＧと第一葉片１１の端部を揃えた状態で表現しているが、例えば図１９（Ａ）に示すように第一葉片１の端部から第二葉片２に被覆されている疑似接着フィルムシートＧがはみ出した状態でも構わない。同様に同図（Ｂ）に示すように第二葉片２側の疑似接着フィルムシートＧが第一葉片１の端部から控えた状態で被覆され非接着域を形成していても構わない。これら剥離の端緒における各葉片と疑似接着フィルムシートの構成は、被覆する疑似接着フィルムシートＧの幅や加工の条件で選択される。この点については態様の異なる以下の各実施例においても同様である。
【００２５】［実施例２：郵便はがきＨ２］
本実施例の郵便はがきＨ２は図３（Ａ）及び（Ｂ）に示すように、折り線２３で連接された第一葉片２１及び第二葉片２２が、疑似接着フィルムシートＧが被覆された面側を対向させて前記折り線２３から折り畳まれたものである。そしてラベル葉片の第一葉片２１表面には、郵便番号、住所氏名等の受取人の個人情報及び料金別納等の料金表示（図中円で表示）等が記載されている。なお前記各個人情報以外にカスタマバーコード等の個人情報が印刷されていても構わない。何れにしてもラベル葉片の第一葉片２１表面には郵送に関連した情報以外の表記はない。
【００２６】  そして第二葉片２２の表出面、上側横縁辺に沿って記載されている「ＰＯＳＴ  ＣＡＲＤ」（郵便はがきでも可）の文言により第二葉片２２が郵便はがき本体葉片であることを示している。
【００２７】  この郵便はがきＨ２の受取人は、第一葉片２１及び第二葉片２２の横幅の相違により生じる段差を剥離の端緒として両葉片間を剥離し、既述の折りミシンや折り筋等の折り手段が形成された折り線１３を挟んで平面に展開することができる。そして第二葉片２２の内部表面に記載されていた個人情報等を、表面に被覆された透明な疑似接着フィルムシートＧを透して確認することができる。
【００２８】［実施例３：郵便はがきＨ３］
本実施例の郵便はがきＨ３は図４（Ａ）及び（Ｂ）に示すように、折り線３３で連接された第一葉片３１及び第二葉片３２が、疑似接着フィルムシートＧが被覆された面側を対向させて前記折り線３３から折り畳まれたものである。そしてラベル葉片の第一葉片３１の表出面には、郵便番号、住所氏名等の受取人の個人情報が記載されている。なお前記宛名以外にカスタマバーコード等の個人情報が印刷されていても構わず、また例えば第一葉片３１の縦幅を広くして、本体葉片の第二葉片３２に表示された料金別納等の料金表示（図中円で表示）を移動して表示し、第二葉片３２からは「ＰＯＳＴ  ＣＡＲＤ」の文言のみが表出するようにしても構わない。何れにしてもラベル葉片の第一葉片３１表面には郵送に関連した情報以外の表記はない。
【００２９】  そして同図（Ａ）に示すように第二葉片３２の表出面、上側横縁辺に沿って記載されている「ＰＯＳＴ  ＣＡＲＤ」（郵便はがきでも可）の文言により第二葉片３２がはがき本体葉片であることを示している。
【００３０】  この郵便はがきＨ３の受取人は、第一葉片３１及び第二葉片３２の縦幅の相違により生じる段差を剥離の端緒として両葉片間を剥離し、既述の折りミシンや折り筋等の折り手段が形成された折り線３３を挟んで平面に展開することができる。そして第二葉片３２の内部表面に記載されていた個人情報等を、表面に被覆された透明な疑似接着フィルムシートＧを透して確認することができる。
【００３１】［実施例４：郵便はがきＨ４］
本実施例の郵便はがきＨ４は図５（Ａ）及び（Ｂ）に示すように、折り線４３で連接された第一葉片４１及び第二葉片４２が、疑似接着フィルムシートＧが被覆された面側を対向させて前記折り線４３から折り畳まれたものである。そしてラベル葉片の第一葉片４１表面には、郵便番号、住所氏名等の受取人の個人情報及び料金別納等の料金表示（図中円で表示）等が記載されている。なお前記各個人情報以外にカスタマバーコード等の個人情報が印刷されていても構わない。何れにしてもラベル葉片の第一葉片４１表面には郵送に関連した情報以外の表記はない。
【００３２】  そして同図（Ａ）に示すように第二葉片４２の表出面、左側縦縁辺に沿って記載されている「ＰＯＳＴ  ＣＡＲＤ」（郵便はがきでも可）の文言により第二葉片４２がはがき本体葉片であることを示している。
【００３３】  この郵便はがきＨ４の受取人は、第一葉片４１及び第二葉片４２の縦幅の相違により生じる段差を剥離の端緒として両葉片間を剥離し、既述の折りミシンや折り筋等の折り手段が形成された折り線４３を挟んで平面に展開することができる。そして第二葉片４２の内部表面に記載されていた個人情報等を、表面に被覆された透明な疑似接着フィルムシートＧを透して確認することができる。
【００３４】［実施例５：郵便はがきＨ５］
本実施例の郵便はがきＨ５は図６（Ａ）及び（Ｂ）に示すように、折り線５３で連接された第一葉片５１及び第二葉片５２が、疑似接着フィルムシートＧが被覆された面側を対向させて前記折り線５３から折り畳まれたものである。そしてラベル葉片の第一葉片５１表面には、郵便番号、住所氏名等の受取人の個人情報が記載されている。なお前記宛名以外にカスタマバーコード等の個人情報が印刷されていても構わず、また例えば第一葉片５１の横幅を広くして、本体葉片の第二葉片５２に表示された料金別納等の料金表示（図中円で表示）を移動して表示し、第二葉片５２からは「ＰＯＳＴ  ＣＡＲＤ」の文言のみが表出するようにしても構わない。何れにしてもラベル葉片の第一葉片５１表面には郵送に関連した情報以外の表記はない。
【００３５】  そして同図（Ａ）に示すように第二葉片５２の表出面、右側縦縁辺に沿って記載されている「ＰＯＳＴ  ＣＡＲＤ」（郵便はがきでも可）の文言により第二葉片５２がはがき本体葉片であることを示している。
【００３６】  この郵便はがきＨ５の受取人は、第一葉片５１及び第二葉片５２の横幅の相違により生じる段差を剥離の端緒として両葉片間を剥離し、既述の折りミシンや折り筋等の折り手段が形成された折り線５３を挟んで平面に展開することができる。そして第二葉片５２の内部表面に記載されていた個人情報等を、表面に被覆された透明な疑似接着フィルムシートＧを透して確認することができる。
【００３７】［実施例６：郵便はがきＨ６］
本実施例の郵便はがきＨ６は図７（Ａ）及び（Ｂ）に示すように、折り線６３で連接された第一葉片６１及び第二葉片６２が、疑似接着フィルムシートＧが被覆された面側を対向させて前記折り線６３から折り畳まれたものである。そしてラベル葉片の第一葉片６１表面には、郵便番号、住所氏名等の受取人の個人情報及び料金別納等の料金表示（図中円で表示）等が記載されている。なお前記各個人情報以外にカスタマバーコード等の個人情報が印刷されていても構わない。何れにしてもラベル葉片の第一葉片６１表面には郵送に関連した情報以外の表記はない。
【００３８】  そして同図（Ａ）に示すように第二葉片６２の表出面、上側横縁辺に沿って記載されている「ＰＯＳＴ  ＣＡＲＤ」（郵便はがきでも可）の文言により第二葉片６２がはがき本体葉片であることを示している。
【００３９】  この郵便はがきＨ６の受取人は、第一葉片６１及び第二葉片６２の横幅の相違により生じる段差を剥離の端緒として両葉片間を剥離し、既述の折りミシンや折り筋等の折り手段が形成された折り線６３を挟んで平面に展開することができる。そして第二葉片６２の内部表面に記載されていた個人情報等を、表面に被覆された透明な疑似接着フィルムシートＧを透して確認することができる。
【００４０】［実施例７：郵便はがきＨ７］
本実施例の郵便はがきＨ７は図８（Ａ）及び（Ｂ）に示すように、折り線７３で連接された第一葉片７１及び第二葉片７２が、疑似接着フィルムシートＧが被覆された面側を対向させて前記折り線７３から折り畳まれたものである。そしてラベル葉片の第一葉片７１表面には、郵便番号、住所氏名等の受取人の個人情報が記載されている。なお前記宛名以外にカスタマバーコード等の個人情報が印刷されていても構わず、また例えば第一葉片７１の縦幅を広くして、本体葉片の第二葉片７２に表示された料金別納等の料金表示（図中円で表示）を移動して表示し、第二葉片７２からは「ＰＯＳＴ  ＣＡＲＤ」の文言のみが表出するようにしても構わない。何れにしてもラベル葉片の第一葉片７１表面には郵送に関連した情報以外の表記はない。
【００４１】  そして同図（Ａ）に示すように第二葉片７２の表出面、上側横縁辺に沿って記載されている「ＰＯＳＴ  ＣＡＲＤ」（郵便はがきでも可）の文言により第二葉片７２がはがき本体葉片であることを示している。
【００４２】  この郵便はがきＨ７の受取人は、第一葉片７１及び第二葉片７２の縦幅の相違により生じる段差を剥離の端緒として両葉片間を剥離し、既述の折りミシンや折り筋等の折り手段が形成された折り線７３を挟んで平面に展開することができる。そして第二葉片７２の内部表面に記載されていた個人情報等を、表面に被覆された透明な疑似接着フィルムシートＧを透して確認することができる。
【００４３】［実施例８：郵便はがきＨ８］
本実施例の郵便はがきＨ８は図９（Ａ）及び（Ｂ）に示すように、折り線８３で連接された第一葉片８１及び第二葉片８２が、疑似接着フィルムシートＧが被覆された面側を対向させて前記折り線８３から折り畳まれたものである。そしてラベル葉片の第一葉片８１表面には、郵便番号、住所氏名等の受取人の個人情報及び受取人等の宛名及び料金別納等の料金表示（図中円で表示）等が記載されている。なお前記宛名以外にカスタマバーコード等の個人情報が印刷されていても構わない。何れにしてもラベル葉片の第一葉片８１表面には郵送に関連した情報以外の表記はない。
【００４４】  そして同図（Ａ）に示すように第二葉８２の表出面、右側縦縁辺に沿って記載されている「ＰＯＳＴ  ＣＡＲＤ」（郵便はがきでも可）の文言により第二葉片８２がはがき本体葉片であることを示している。
【００４５】  この郵便はがきＨ８の受取人は、第一葉片８１及び第二葉片８２の縦幅の相違により生じる段差を剥離の端緒として両葉片間を剥離し、既述の折りミシンや折り筋等の折り手段が形成された折り線８３を挟んで平面に展開することができる。そして第二葉片８２の内部表面に記載されていた個人情報等を、表面に被覆された透明な疑似接着フィルムシートＧを透して確認することができる。
【００４６】  上記各実施例は本発明を２葉片の郵便はがきで実施した場合の態様であるが、以下に３葉片からなる郵便はがきについて詳述する。
［実施例９：郵便はがきＨ９］
本実施例の郵便はがきＨ９は図１０（Ａ）、（Ｂ）及び（Ｃ）に示すように、折り線９４及び９５で連接された第一葉片９１、第二葉片９２及び第三葉片９３が、それぞれの疑似接着フィルムシートＧが被覆された面側を対向させ、前記各折り線から折り畳まれたものである。折り畳みの態様には同図（Ｂ）に示すように、各葉片を断面Ｚ字状に折り畳む態様（Ｚ折り）と、同図（Ｃ）に示すように第三葉片９３を包み込むように巻き込んで折り畳む態様（巻き折り）がある。
【００４７】  そしてラベル葉片となる第二葉片９２（Ｚ折りの場合）又は第三葉片９３（巻き折りの場合）の表出面には郵便番号、住所氏名等の受取人の個人情報が記載されている。なお前記宛名以外にカスタマバーコード等の個人情報が印刷されていても構わず、また例えば第一葉片９１の横幅を広くして、本体葉片の第二葉片９２（Ｚ折りの場合）或いは第三葉片９３（巻き折りの場合）に表示された料金別納等の料金表示（図中円で表示）を移動して表示し、第二葉片９２（Ｚ折りの場合）或いは第三葉片９３（巻き折りの場合）からは「ＰＯＳＴ  ＣＡＲＤ」の文言のみが表出するようにしても構わない。何れにしてもラベル葉片の第一葉片９１表面には郵送に関連した情報以外の表記はない。
【００４８】  また本実施例では前記ラベル葉片の裏面側は、内部の情報を外部から見にくくするために網点印刷が施されているが白紙のままでも構わない。また、網点に代えて地紋やべた印刷等を施しても構わず、さらに各種情報を記載しても構わない。この点については以下の各実施例においても同様である。
【００４９】  そして同図（Ａ）に示すように第二葉片９２（Ｚ折りの場合）或いは第三葉片９３（巻き折りの場合）の表出面、左側縦縁辺に沿って記載されている「ＰＯＳＴ  ＣＡＲＤ」（郵便はがきでも可）の文言により第二葉片９２（Ｚ折りの場合）或いは第三葉片９３（巻き折りの場合）がそれぞれはがき本体葉片であることを示している。
【００５０】  なお、本実施例において、本体葉片となる第二葉片９２（Ｚ折りの場合）或いは第三葉片９３（巻き折りの場合）のラベル葉片と逆側の面に貼付される第三葉片９３（Ｚ折りの場合）或いは第二葉片９２（巻き折りの場合）は、本体葉片に貼付された貼付葉片と見なされる。
【００５１】  この郵便はがきＨ９の受取人は、Ｚ折りにおいては第一葉片９１と第二葉片９２或いは巻き折りにおいては第一葉片９１と第三葉片９３との横幅の相違により生じる段差を剥離の端緒として両葉片間を剥離すると共に、残りの対向面間を同様剥離して平面に展開することができる。そして剥離展開された郵便はがきＨ９の内部に記載されていた個人情報等（一般情報でも構わない）を、透明の疑似接着フィルムシートＧを透して確認することができるのである。
【００５２】  このように本発明のラベル付送付物は、ラベル葉片が貼付後剥離可能なため、貼付後剥離不能な従来の宛名ラベルのようにラベルを貼り込むスペース（空白部分）を確保する必要がない。そのため前記スペースにも情報が記載できる。また、例えばラベル葉片に記載された受取人の住所氏名等の個人情報と、本体葉片及び貼付葉片に記載される受取人の個人情報を含む各種情報が、連接された一枚の単位シートに同時に記載されているため、誤って第三者へ他人の情報を誤送付することがない。これら情報記載面の増加及び誤送付の防止効果は以下の各実施例においても同様である。
【００５３】  また前記折り線９４を切取ミシンに代え、剥離したラベル葉片の第一葉片９１をＺ折りにおいては第二葉片９２から、また巻き折りにおいては第三葉片９３から切り離すようにしても構わない。その場合前記切り離した第一葉片９１または第三葉片９３は、切取ミシン等の切取手段により凹凸部分が形成された破断端面を利用して容易に引裂くことができるため、受取人は個人情報の漏洩を心配することなく安心して廃棄することができるのである。なお前記引裂き破棄の構成に関しては以下の各実施例においても同様である。
【００５４】  なお本実施例に示す断面Ｚ字状の郵便はがきの場合、開封の端緒に段差を利用する他に例えば図１９（Ｃ）に示すように開封端縁に非接着域を設けることにより、その端縁の方を先に開封するように操作しても構わない。なおこの構造に関しては全ての実施例に共通して適用することができる。
【００５５】［実施例１０：郵便はがきＨ１０］
本実施例の郵便はがきＨ１０は図１１（Ａ）、（Ｂ）及び（Ｃ）に示すように、折り線１０４及び１０５で連接された第一葉片１０１、第二葉片１０２及び第三葉片１０３が、疑似接着フィルムシートＧが被覆された面側を対向させて前記各折り線から折り畳まれたものである。そしてラベル葉片の第一葉片１０１の表出面には、郵便番号、住所氏名等の受取人の個人情報及び料金別納等の料金表示（図中円で表示）等が記載されている。なお前記宛名以外にカスタマバーコード等の個人情報が印刷されていても構わない。何れにしてもラベル葉片の第一葉片１０１表出面には郵送に関連した情報以外の表記はない。
【００５６】  そして同図（Ａ）に示すように第二葉片１０２（Ｚ折りの場合）或いは第三葉片１０３（巻き折りの場合）の表出面、上側横縁辺に沿って記載されている「ＰＯＳＴ  ＣＡＲＤ」（郵便はがきでも可）の文言により第二葉片１０２（Ｚ折りの場合）或いは第三葉片１０３（巻き折りの場合）がそれぞれはがき本体葉片であることを示している。
【００５７】  この郵便はがきＨ１０の受取人は、Ｚ折りにおいては第一葉片１０１と第二葉片１０２或いは巻き折りにおいては第一葉片１０１と第三葉片１０３との横幅の相違により生じる段差を剥離の端緒として両葉片間を剥離すると共に、残りの対向面間を同様に剥離して平面に展開することができる。そして剥離展開された郵便はがきＨ１０の内部に記載されていた個人情報等を、透明の疑似接着フィルムシートＧを透して確認することができる。
【００５８】［実施例１１：郵便はがきＨ１１］
本実施例の郵便はがきＨ１１は図１２（Ａ）、（Ｂ）及び（Ｃ）に示すように、折り線１１４及び１１５で連接された第一葉片１１１、第二葉片１１２及び第三葉片１１３が、疑似接着フィルムシートＧが被覆された面側を対向させて前記各折り線から折り畳まれたものである。そしてラベル葉片の第一葉片１１１の表出面には、郵便番号、住所氏名等の受取人の個人情報等が記載されている。なお前記宛名以外にカスタマバーコード等の個人情報が印刷されていても構わず、また例えば第一葉片１１１の縦幅を広くして、本体葉片の第二葉片１１２（Ｚ折りの場合）或いは第三葉片１１３（巻き折りの場合）に表示された料金別納等の料金表示（図中円で表示）を移動して表示し、第二葉片１１２（Ｚ折りの場合或いは第三葉片１１３（巻き折りの場合）からは「ＰＯＳＴ  ＣＡＲＤ」の文言のみが表出するようにしても構わない。何れにしてもラベル葉片の第一葉片１１１表出面には郵送に関連した情報以外の表記はない。
【００５９】  そして同図（Ａ）に示すように第二葉片１１２（Ｚ折りの場合）或いは第三葉片１１３（巻き折りの場合）の表出面、上側横縁辺に沿って記載されている「ＰＯＳＴ  ＣＡＲＤ」（郵便はがきでも可）の文言により第二葉片１１２（Ｚ折りの場合）或いは第三葉片１１３（巻き折りの場合）がそれぞれはがき本体葉片であることを示している。
【００６０】  この郵便はがきＨ１１の受取人は、Ｚ折りにおいては第一葉片１１１と第二葉片１１２或いは巻き折りにおいては第一葉片１１１と第三葉片１１３との縦幅の相違により生じる段差を剥離の端緒として両葉片間を剥離すると共に、残りの対向面間を同様に剥離して平面に展開することができる。そして剥離展開された各葉片の対向面の内部に記載されていた個人情報等を、透明の疑似接着フィルムシートＧを透して確認することができる。
【００６１】［実施例１２：郵便はがきＨ１２］
本実施例の郵便はがきＨ１２は図１３（Ａ）、（Ｂ）及び（Ｃ）に示すように、折り線１２４及び１２５で連接された第一葉片１２１、第二葉片１２２及び第三葉片１２３が、疑似接着フィルムシートＧが被覆された面側を対向させて前記各折り線から折り畳まれたものである。そしてラベル葉片の第一葉片１２１の表出面には、郵便番号、住所氏名等の受取人の個人情報及び料金別納等の料金表示（図中円で表示）が記載されている。なお前記宛名以外にカスタマバーコード等の個人情報が印刷されていても構わない。何れにしてもラベル葉片の第一葉片１２１表出面には郵送に関連した情報以外の表記はない。
【００６２】  そして同図（Ａ）に示すように第二葉片１２２（Ｚ折りの場合）或いは第三葉片１２３（巻き折りの場合）の表出面、左側縦縁辺に沿って記載されている「ＰＯＳＴ  ＣＡＲＤ」（郵便はがきでも可）の文言により第二葉片１２２（Ｚ折りの場合）或いは第三葉片１２３（巻き折りの場合）がそれぞれはがき本体葉片であることを示している。
【００６３】  この郵便はがきＨ１２の受取人は、Ｚ折りにおいては第一葉片１２１と第二葉片１２２或いは巻き折りにおいては第一葉片１２１と第三葉片１２３との縦幅の相違により生じる段差を剥離の端緒として両葉片間を剥離する共に、残りの対向面間を同様に剥離して平面に展開することができる。そして剥離展開された各葉片の対向面の内部に記載されていた個人情報等を、透明の疑似接着フィルムシートＧを透して確認することができる。
【００６４】［実施例１３：郵便はがきＨ１３］
本実施例の郵便はがきＨ１３は図１４（Ａ）、（Ｂ）及び（Ｃ）に示すように、折り線１３４及び１３５で連接された第一葉片１３１、第二葉片１３２及び第三葉片１３３が、疑似接着フィルムシートＧが被覆された面側を対向させて前記各折り線から折り畳まれたものである。そしてラベル葉片の第一葉片１３１の表出面には、郵便番号、住所氏名等の受取人の個人情報が記載されている。なお前記宛名以外にカスタマバーコード等個人情報が印刷されていても構わず、また例えば第一葉片１３１の横幅を広くして、本体葉片の第二葉片１３２（Ｚ折りの場合）或いは第三葉片１３３（巻き折りの場合）に表示された料金別納等の料金表示（図中円で表示）を移動して表示し、第二葉片１３２（Ｚ折りの場合）或いは第三葉片１３３（巻き折りの場合）からは「ＰＯＳＴ  ＣＡＲＤ」の文言のみが表出するようにしても構わない。何れにしてもラベル葉片の第一葉片１３１表出面には郵送に関連した情報以外の表記はない。
【００６５】  そして同図（Ａ）に示すように第二葉片１３２（Ｚ折りの場合）或いは第三葉片１３３（巻き折りの場合）の表出面、右側縦縁辺に沿って記載されている「ＰＯＳＴ  ＣＡＲＤ」（郵便はがきでも可）の文言により第二葉片１３２（Ｚ折りの場合）或いは第三葉片１３３（巻き折りの場合）がそれぞれはがき本体葉片であることを示している。
【００６６】  この郵便はがきＨ１３の受取人は、Ｚ折りにおいては第一葉片１３１と第二葉片１３２或いは巻き折りにおいては第一葉片１３１と第三葉片１３３との横幅の相違により生じる段差を剥離の端緒として両葉片間を剥離すると共に、残りの対向面間を同様に剥離して平面に展開することができる。そして剥離展開された各葉片の対向面の内部に記載されていた個人情報等を、透明の疑似接着フィルムシートＧを透して確認することができる。
【００６７】［実施例１４：郵便はがきＨ１４］
本実施例の郵便はがきＨ１４は図１５（Ａ）、（Ｂ）及び（Ｃ）に示すように、折り線１４４及び１４５で連接された第一葉片１４１、第二葉片１４２及び第三葉片１４３が、疑似接着フィルムシートＧが被覆された面側を対向させて前記各折り線から折り畳まれたものである。そしてラベル葉片の第一葉片１４１の表出面には、郵便番号、住所氏名等の受取人の個人情報及び料金別納等の料金表示（図中円で表示）が記載されている。なお前記宛名以外にカスタマバーコード等の個人情報が印刷されていても構わない。何れにしてもラベル葉片の第一葉片１４１表出面には郵送に関連した情報以外の表記はない。
【００６８】  そして同図（Ａ）に示すように第二葉片１４２（Ｚ折りの場合）或いは第三葉片１４３（巻き折りの場合）の表出面、左側縦縁辺に沿って記載されている「ＰＯＳＴ  ＣＡＲＤ」（郵便はがきでも可）の文言により第二葉片１４２（Ｚ折りの場合）或いは第三葉片１４３（巻き折りの場合）がそれぞれはがき本体葉片であることを示している。
【００６９】  この郵便はがきＨ１４の受取人は、Ｚ折りにおいては第一葉片１４１と第二葉片１４２或いは巻き折りにおいては第一葉片１４１と第三葉片１４３との葉片の横幅の相違により生じる段差を剥離の端緒として両葉片間を剥離すると共に、残りの対向面間を同様に剥離して平面に展開することができる。そして剥離展開された各葉片の対向面の内部に記載されていた個人情報等を、透明の疑似接着フィルムシートＧを透して確認することができる。
【００７０】［実施例１５：郵便はがきＨ１５］
本実施例の郵便はがきＨ１５は図１６（Ａ）、（Ｂ）及び（Ｃ）に示すように、折り線１５４及び１５５で連接された第一葉片１５１、第二葉片１５２及び第三葉片１５３が、疑似接着フィルムシートＧが被覆された面側を対向させて前記各折り線から折り畳まれたものである。そしてラベル葉片の第一葉片１５１の表出面には、郵便番号、住所氏名等の受取人の個人情報が記載されている。なお前記宛名以外にカスタマバーコード等の個人情報が印刷されていても構わず、また例えば第一葉片１５１の縦幅を広くして、本体葉片の第二葉片１５２（Ｚ折りの場合）或いは第三葉片１５３（巻き折りの場合）に表示された料金別納等の料金表示（図中円で表示）を移動して表示し、第二葉片１５２（Ｚ折りの場合）或いは第三葉片１５３（巻き折りの場合）からは「ＰＯＳＴ  ＣＡＲＤ」の文言のみが表出するようにしても構わない。何れにしてもラベル葉片の第一葉片１５１表出面には郵送に関連した情報以外の表記はない。
【００７１】  そして同図（Ａ）に示すように第二葉片１５２（Ｚ折りの場合）或いは第三葉片１５３（巻き折りの場合）の表出面、上側横縁辺に沿って記載されている「ＰＯＳＴ  ＣＡＲＤ」（郵便はがきでも可）の文言により第二葉片１５２（Ｚ折りの場合）或いは第三葉片１５３（巻き折りの場合）がそれぞれはがき本体葉片であることを示している。
【００７２】  この郵便はがきＨ１５の受取人は、Ｚ折りにおいては第一葉片１５１と第二葉片１５２或いは巻き折りにおいては第一葉片１５１と第三葉片１５３との縦幅の相違により生じる段差を剥離の端緒として両葉片間を剥離すると共に、残りの対向面間を同様に剥離して平面に展開することができる。そして剥離展開された各葉片の対向面の内部に記載されていた個人情報等を、透明の疑似接着フィルムシートＧを透して確認することができる。
【００７３】［実施例１６：郵便はがきＨ１６］
本実施例の郵便はがきＨ１６は図１７（Ａ）、（Ｂ）及び（Ｃ）に示すように、折り線１６４及び１６５で連接された第一葉片１６１、第二葉片１６２及び第三葉片１６３が、疑似接着フィルムシートＧが被覆された面側を対向させて前記各折り線から折り畳まれたものである。そしてラベル葉片の第一葉片１６１の表出面には、郵便番号、住所氏名等の受取人の個人情報及び料金別納等の料金表示（図中円で表示）が記載されている。なお前記宛名以外にカスタマバーコード等の個人情報が印刷されていても構わない。何れにしてもラベル葉片の第一葉片１６１の表出面には郵送に関連した情報以外の表記はない。
【００７４】  そして同図（Ａ）に示すように第二葉片１６２（Ｚ折りの場合）或いは第三葉片１６３（巻き折りの場合）の表出面、右側縦縁辺に沿って記載されている「ＰＯＳＴ  ＣＡＲＤ」（郵便はがきでも可）の文言により第二葉片１６２（Ｚ折りの場合）或いは第三葉片１６３（巻き折りの場合）がそれぞれはがき本体葉片であることを示している。
【００７５】  この郵便はがきＨ１６の受取人は、Ｚ折りにおいては第一葉片１６１と第二葉片１６２或いは巻き折りにおいては第三葉片１６３の縦幅の相違により生じる段差を剥離の端緒として両葉片間を剥離すると共に、残りの対向面間を同様に剥離して平面に展開することができる。そして剥離展開された各葉片の対向面の内部に記載されていた個人情報等を、透明の疑似接着フィルムシートＧを透して確認することができる。
【００７６】［実施例１７：郵便はがきＨ１７］
本実施例の郵便はがきＨ１７は図１８（Ａ）及び（Ｂ）に示すように、折り線１７５、１７６及び１７７で連接された第一葉片１７１、第二葉片１７２、第三葉片１７３及び第四葉片１７４が、疑似接着フィルムシートＧが被覆された面側を対向させて前記各折り線から折り畳まれたものである。そしてラベル葉片の第一葉片１７１の表出面には、郵便番号、住所氏名等の受取人の個人情報及び料金別納等の料金表示（図中円で表示）等が記載されている。なお前記宛名以外にカスタマバーコード等の個人情報が印刷されていても構わず、また例えば第二葉片１７２の横幅を広くして右側縁辺へ延長し、本体葉片の第三葉片１７３に表示された料金別納等の料金表示（図中円で表示）を第一葉片１７１の表面に移動して表示し、第一葉片１７１からは「ＰＯＳＴ  ＣＡＲＤ」の文言のみが表出するようにしても構わない。何れにしてもラベル葉片の第一葉片１７１表出面には郵送に関連した情報以外の表記はない。
【００７７】  そして同図（Ａ）に示すように第三葉片１７３の表出面、左側縦縁辺に沿って記載されている「ＰＯＳＴ  ＣＡＲＤ」（郵便はがきでも可）の文言により第三葉片１７３がはがき本体葉片であることを示している。
【００７８】  この郵便はがきＨ１７の受取人は、各葉片の横幅の相違により生じる任意の段差を剥離の端緒として剥離を開始し、順次各対向面を剥離して最終的に平面に展開することができる。そして剥離展開された郵便はがきＨ１７の内部に記載されていた個人情報等を、透明の疑似接着フィルムシートＧを透して確認することができる。
【００７９】［実施例１８：郵便はがきＨ１８］
本実施例の郵便はがきＨ１８は図１９（Ａ）及び（Ｂ）に示すように、折り線１８５、１８６及び１８７で連接された第一葉片１８１、第二葉片１８２、第三葉片１８３及び第四葉片１８４が、疑似接着フィルムシートＧが被覆された面側を対向させて前記各折り線から折り畳まれたものである。そしてラベル葉片の第一葉片１８１の表出面には、郵便番号、住所氏名等の受取人の個人情報及び料金別納等の料金表示（図中円で表示）等が記載されている。なお前記宛名以外にカスタマバーコード等の個人情報が印刷されていても構わず、また例えば第二葉片１８２の縦幅を狭くして、ラベル葉片の第一葉片１８１に表示された料金別納等の料金表示（図中円で表示）を表出面が広がった第三葉片１８３へ移動して表示しても構わない。何れにしてもラベル葉片の第一葉片１８１表出面には郵送に関連した情報以外の表記はない。
【００８０】  そして同図（Ａ）に示すように第三葉片１８３の表出面、上側横縁辺に沿って記載されている「ＰＯＳＴ  ＣＡＲＤ」（郵便はがきでも可）の文言により第三葉片１８３がはがき本体葉片であることを示している。
【００８１】  この郵便はがきＨ１８の受取人は、各葉片の縦幅の相違により生じる任意の段差を剥離の端緒として剥離を開始し、順次各対向面を剥離して最終的に平面に展開することができる。そして剥離展開された郵便はがきＨ１８の内部に記載されていた個人情報等を、透明の疑似接着フィルムシートＧを透して確認することができる。
【００８２】［実施例１９：封書Ｈ１９］
本実施例の封書Ｈ１９は、図２０（Ａ）、（Ｂ）及び（Ｃ）に示すように、折り線１９５、１９６及び１９７で連接された第一葉片１９１、第二葉片１９２、第三葉片１９３及び第四葉片１９４が、疑似接着フィルムシートＧが被覆された面側を対向させて前記各折り線から蛇腹状に折り畳まれたものである。この形態は既述の実施例に記載される郵便はがきよりも各葉片のサイズが大きく、例えば折り畳み後の大きさがＡ４サイズやＢ５サイズ（「長型・角型封筒各種」、「メール便」、「ゆうメール」、「冊子小包」等）に近い大きさの葉片が４葉片連接されたシートが使用される。本実施例では各葉片の合計枚数は４葉片となり図２０（Ｂ）の断面図では蛇腹折り、（Ｃ）は蛇腹折りと巻き折りが混合された変形のＤＭ折りの形態となっている。
【００８３】  なお本発明のラベル付送付物は葉片の枚数に制限はなく４枚以上でも構わない。それら複数の各葉片は目的に合わせて大きさが決められ、さらに蛇腹折り、巻き折り、観音開き折り或いはそれらの混合折り（ＤＭ折り）の折り形態が組み合わされて折り畳まれるが、最終の仕上がり形態で必ずラベル葉片が表出していることになる。そしてラベル葉片の第一葉片１９１の表出面には、郵便番号、住所氏名等の受取人の個人情報及び料金別納等の料金表示（図中円で表示）が記載されている。なお前記宛名以外にカスタマバーコード等の個人情報が印刷されていても構わない。何れにしてもラベル葉片の第一葉片１９１の表出面には郵送に関連した情報以外の表記はない。
【００８４】  この封書Ｈ１９の受取人は、蛇腹折りにおいてはラベル葉片の第一葉片１９１と本体葉片の第二葉片１９２の段差を剥離の端緒として、また混合折り（ＤＭ折り）においてはラベル葉片の第一葉片１９１と第四葉片１９４の段差を剥離の端緒として各葉片間を剥離すると共に、残りの対向面間を順次剥離して平面に展開することができる。そして剥離展開された各葉片の対向面の内部に記載されていた個人情報等を、透明の疑似接着フィルムシートＧを透して確認することができる。
【００８５】  なお本発明は上記実施例に限られるものではない。
例えば、既述の実施例では、疑似接着媒体としてフィルム方式の疑似接着フィルムシートを使用しているが、既述の他の疑似接着媒体を使用しても構わない。
【符号の説明】
【００８６】  Ｈ１、Ｈ２、Ｈ３、Ｈ４、Ｈ５、Ｈ６、Ｈ７、Ｈ８、Ｈ９、Ｈ１０、Ｈ１１、Ｈ１２、Ｈ１３、Ｈ１４、Ｈ１５、Ｈ１６、Ｈ１７、Ｈ１８、郵便はがき
Ｈ１９  封書
Ｇ  疑似接着フィルムシート
１、２、１１、１２、２１、２２、３１、３２、４１、４２、５１、５２、６１、６２、７１、７２、８１、８２、９１、９２、９３，１０１、１０２、１０３、１１１、１１２、１１３、１２１、１２２、１２３、１３１、１３２、１３３、１４１、１４２、１４３、１５１、１５２、１５３、１６１、１６２、１６３、１７１、１７２、１７３、１７４、１８１、１８２、１８３、１８４、１９１、１９２、１９３、１９４  葉片
３、４、１３、２３、３３、４３、５３、６３、７３、８３、９４、９５、１０４、１０５、１１４、１１５、１２４、１２５、１３４、１３５、１４４、１４５、１５４、１５５、１６４、１６５、１７５、１７６、１７７、１８５、１８６、１８７、１９５、１９６、１９７  折り線
【図１】
2020142492.tif 000003
【図２】
2020142492.tif 000004
【図３】
2020142492.tif 000005
【図４】
2020142492.tif 000006
【図５】
2020142492.tif 000007
【図６】
2020142492.tif 000008
【図７】
2020142492.tif 000009
【図８】
2020142492.tif 000010
【図９】
2020142492.tif 000011
【図１０】
2020142492.tif 000012
【図１１】
2020142492.tif 000013
【図１２】
2020142492.tif 000014
【図１３】
2020142492.tif 000015
【図１４】
2020142492.tif 000016
【図１５】
2020142492.tif 000017
【図１６】
2020142492.tif 000018
【図１７】
2020142492.tif 000019
【図１８】
2020142492.tif 000020
【図１９】
2020142492.tif 000021
【図２０】
2020142492.tif 000022
【図２１】
2020142492.tif 000023